(57)【要約】【課題】機器の最大定格消費電力値によって、同時使用可能口数を変更すること。【解決手段】複数の誘導加熱手段１、２及び電熱ヒータ３、４と、各々を手段制御する複数の制御手段５〜８と、調理器の操作、設定等の情報を入力する操作設定手段９とを備え、複数の誘導加熱手段１、２及び電熱ヒータ３、４の同時使用可能口数を、機器の最大定格消費電力値によって変更する構成としたことにより、使用者の調理に支障をきたすことなく快適に使用することができる。【選択図】図１
2009026721.tif 000002
【特許請求の範囲】
【請求項１】
複数の誘導加熱手段及び電熱ヒータと、前記複数の誘導加熱手段及び電熱ヒータへの通電を各々制御する複数の制御手段と、前記制御手段に調理器の操作、設定等の情報を入力する操作設定手段とを備え、前記複数の誘導加熱手段及び電熱ヒータの同時使用可能口数を、機器の最大定格消費電力値によって変更する構成とした加熱調理器。
【請求項２】
複数の誘導加熱手段及び電熱ヒータと、前記複数の誘導加熱手段及び電熱ヒータへの通電を各々制御する複数の制御手段と、前記制御手段に調理器の操作、設定等の情報を入力する操作設定手段とを備え、前記操作設定手段は記憶手段を備え、前記記憶手段は機器の最大定格消費電力値ごとにあらかじめ決められた同時使用可能口数によって、前記複数の誘導加熱手段及び電熱ヒータの同時使用可能口数を変更する構成とした加熱調理器。
【請求項３】
操作設定手段は記憶手段を備え、前記記憶手段は機器の同時使用可能口数の変更もできるとともに、機器の最大定格消費電力値を変更可能とした請求項２記載の加熱調理器。
【発明の詳細な説明】
【技術分野】
【０００１】
本発明は、複数の加熱手段と複数の制御手段とを有する機器において、機器の最大定格消費電力値毎に同時使用可能口数を切り替える機能を備えた加熱調理器に関するものである。
【背景技術】
【０００２】
近年、誘導加熱装置は安全・清潔・高効率という優れた特徴が認知され、この誘導加熱装置に加えてラジェントヒータやロースタ用のシーズヒータ等を備えた複数の加熱手段を有する加熱調理器が一般家庭のキッチンに普及されている。
【０００３】
従来、この種の加熱調理器は、全ての加熱手段を同時に通電したときに総電力量が屋内配線容量を越えないように、ある加熱手段にて、最大電力量を制限する、あるいは設定可能な最大火力設定もしくは同時使用可能口数を制限している（例えば、特許文献１参照）。
【０００４】
また屋内配線の制約により、機器の最大定格消費電力は大きく２種類、３０Ａ−５８００Ｗ、２５Ａ−４８００Ｗの機器が主流となっている。
【特許文献１】特開２００２−１９０３７６号公報
【発明の開示】
【発明が解決しようとする課題】
【０００５】
しかしながら、従来の構成では、複数の加熱手段を有する加熱調理器専用で２００Ｖの屋内配線容量−３０Ａもしくは２５Ａを超えないよう、機器の最大定格消費電力値ごとに決められた同時使用可能口数により、加熱手段の同時使用可能口数が制限されるため、例えば、ロースタ使用時には誘導加熱手段２口までしか使用できずラジェントヒータが使用できないというように調理上に制約が生じるという課題を有していた。
【０００６】
本発明は、前記従来の課題を解決するもので、屋内配線の制約により機器の最大定格消費電力値を制限される機器において、機器の最大定格消費電力値によって複数の誘導加熱手段及び電熱ヒータの同時使用可能口数を変更する構成とし、調理上の制約を軽減できる加熱調理器を提供することを目的とする。
【課題を解決するための手段】
【０００７】
前記従来の課題を解決するために、本発明の加熱調理器は、機器の最大定格消費電力値毎に、機器の同時使用可能口数を変更したものである。
【０００８】
これによって、例えば、最大定格消費電力値が最大５８００Ｗの機器の場合は、誘導加熱ユニットを２口、ロースタ用シーズヒータを１口、ラジェントヒータを１口の４口を同時に使用でき、最大定格消費電力値が最大４８００Ｗの機器の場合は、誘導加熱ユニットを２口、ロースタ用シーズヒータを１口もしくは、ラジェントヒータを１口の３口を同時に使用できるようにする。
【発明の効果】
【０００９】
本発明の加熱調理器は、機器の最大定格消費電力量値毎に、機器の同時使用可能口数を変更したものである。
【発明を実施するための最良の形態】
【００１０】
第１の発明は、複数の誘導加熱手段及び電熱ヒータと、前記複数の誘導加熱手段及び電熱ヒータへの通電を各々制御する複数の制御手段と、前記制御手段に調理器の操作、設定等の情報を入力する操作設定手段とを備え、前記複数の誘導加熱手段及び電熱ヒータの同時使用可能口数を、機器の最大定格消費電力値によって変更する構成としたことにより、例えば、最大定格消費電力値が最大５８００Ｗの機器の場合は、誘導加熱ユニットを２口、ロースタ用シーズヒータを１口、ラジェントヒータを１口の４口を同時に使用でき、最大定格消費電力値が最大４８００Ｗの機器の場合は、誘導加熱ユニットを２口、ロースタ用シーズヒータを１口もしくは、ラジェントヒータを１口の３口を同時に使用することができる。
【００１１】
第２の発明は、第１の発明に、前記制御手段に調理器の操作、設定等の情報を入力する操作設定手段とを備え、前記操作設定手段は記憶手段を備え、前記記憶手段は機器の最大定格消費電力値ごとにあらかじめ決められた同時使用可能口数によって、前記複数の誘導加熱手段及び電熱ヒータの同時使用可能口数を変更する構成としたことにより、より簡単に、より確実に機器の最大定格消費電力値ごとにあらかじめ決められた同時使用可能口数を切り替えることができる。
【００１２】
第３の発明は、第２の発明の記憶手段に、機器の最大定格消費電力値の変更に加え、同時使用可能口数の変更も可能とする構成としたことにより、より簡単に、より確実に機器の最大定格消費電力値ごとにあらかじめ決められた同時使用可能口数を切り替えることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における加熱調理器のブロック図である。
【００１５】
図１に示すように、機器は、左誘導加熱ユニット１、右誘導加熱ユニット２、及びロースタユニット３、ラジェントユニット４の合計４口の加熱ユニットより構成され、これら４口の加熱ユニットの各々の制御を行う制御手段５から８と、加熱開始等の操作および加熱状態等の表示を行う操作設定手段９を備えている。
【００１６】
また、左誘導加熱ユニット１および右誘導加熱ユニット２は、加熱コイル１ａ、２ａ、インバータ回路１ｂ、２ｂ、制御手段５、６をそれぞれ備え、ロースタユニット３は、シーズヒータ３ａ、リレー３ｂ、制御手段７を備え、ラジェントユニット４は、ヒータ４ａ、リレー４ｂ、制御手段８を備えている。そして、商用電源１０は電源スイッチ１１を介して左誘導加熱ユニット１、右誘導加熱ユニット２、ロースタユニット３及び、ラジェントユニット４にそれぞれ接続される。
【００１７】
ここで、図１で示す各構成手段について説明する。左誘導加熱ユニット１および右誘導加熱ユニット２では、制御手段５、６がインバータ回路１ｂ、２ｂを制御して加熱コイル１ａ、２ａに約２３ｋＨｚの高周波電流を供給し、加熱コイル１ａ、２ａと磁気結合する鍋を誘導加熱する。ロースタユニット３では、制御手段７がリレー３ｂをオンオフさせてシーズヒータ３ａの通電を制御し、オンオフの通電率を変更してシーズヒータ３ａの加熱量を制御する。ラジェントユニット４も同様に、制御手段８がリレー４ｂをオンオフさせてヒータ４ａの通電を制御し、オンオフの通電率を変更してヒータ４ａの加熱量を制御する。
【００１８】
以上のように構成された加熱調理器について、その動作、作用を説明する。屋内配線の制約により機器の最大定格消費電力値を制限される複合加熱調理機器においては、屋内配線の仕様、すなわちブレーカーの容量に合わせるように機器の最大定格消費電力値を機器の製造段階で数種類設定している。例えば２００Ｖ−３０Ａのブレーカー用の場合には、機器の最大定格消費電力値は５８００Ｗ仕様のもの。２００Ｖ−２５Ａのブレーカー用の場合は、４８００Ｗ仕様のものいったように電源の仕様に応じて機種毎に切り替えを行い設定している。市場の実態では大半が３０Ａブレーカーになってきているが、中には屋内配線の事情により２５Ａ、２０Ａといったものもある。
【００１９】
使用者にとっては、加熱機器の全ての加熱熱源を同時に使用したいという声が大きくなってきている中、５８００Ｗの機器を例にとって見てみると、ロースター１８００Ｗ、ラジェント１２００Ｗを使用した際、左右の誘導加熱ユニットの入力電力は１４００Ｗに制限されてしまうのが実情となっている。誘導加熱の１４００Ｗ程度であれば、大きな鍋の湯沸し以外の調理ではさほど影響はないのであるが、４８００Ｗの機器であれば、左右の誘導加熱の入力電力が９００Ｗとなってしまい、調理に支障をきたす恐れがあるため、４８００Ｗの機器では同時使用可能口数を３口までとして誘導加熱の入力電力を１４００Ｗ以上を確保している。
【００２０】
このように機器の最大定格消費電力値毎に、同時使用できる口数を、それを制御するマイコンの機種切替えあるいは予めデータを記憶させたＥＥＰＲＯＭの切替え等により変更する構成としたことにより、例えば、最大定格消費電力量値が最大５８００Ｗの機器の場合は、誘導加熱ユニットを２口、ロースタ用シーズヒータを１口、ラジェントヒータを１口の４口を同時に使用でき、最大定格消費電力量値が最大４８００Ｗの機器の場合は、誘導加熱ユニットを２口、ロースタ用シーズヒータを１口もしくは、ラジェントヒータを１口の３口を同時に使用することができ、使用者の調理に支障をきたすことなく快適に使用する加熱調理器を提供することができる。
【００２１】
（実施の形態２）
図２は、本発明の実施の形態２における加熱調理器のブロック図であり、実施の形態１と同一の構成手段からなる。実施の形態１と異なる点は、操作設定手段９に記憶手段１２を設けたことである。
【００２２】
以上のように構成された加熱調理器について、以下その動作、作用を説明する。
【００２３】
記憶手段１２には、機器の最大定格消費電力値毎にあらかじめ決定された同時使用可能口数を設定できる構成とする。例えば、機器の最大定格消費電力値が５８００Ｗの場合には、同時使用可能口数は４口、４８００Ｗの機器であれば３口といったように設定される。
【００２４】
このように、機器の製造段階で、仕向け地の電力供給事状に合わせた機器の最大定格消費電力値毎にあらかじめ決定された同時使用可能口数を操作設定手段９で設定確認して記憶手段１２に記憶させることで、機種のランニングチェンジ時に発生する各基板の組み合わせの管理をする必要がなくなり、製造コスト的にも有利になり、また基板の組み合わせ間違いも低減でき、なおかつ使用者にも調理に支障をきたすことなく快適に使用できる加熱調理器を提供することができる。
【００２５】
（実施の形態３）
本発明は実施の形態２と同一の構成手段からなる。実施の形態２と異なる点は、記憶手段１２に機器の最大定格消費電力値毎の同時使用可能口数変更だけでなく、機器の最大定格消費電力値の変更も可能にした点である。
【００２６】
以上のように構成された加熱調理器について、以下その動作、作用を説明する。
【００２７】
記憶手段１２に機器の最大定格消費電力値毎の同時使用可能口数変更に加え、機器の最大定格消費電力値の変更も可能とすることにより、機器の製造段階で、仕向け地の電力供給事状に合わせて機器の最大定格消費電力値と最大定格消費電力値毎の同時使用可能口数を操作設定手段９で設定確認して記憶手段１２に記憶させることで、機種のランニングチェンジ時に発生する各基板の組み合わせの管理をする必要がなくなり、製造コスト的にも有利になり、また基板の組み合わせ間違いも低減でき、なおかつ使用者にも調理に支障をきたすことなく快適に使用できる加熱調理器を提供することができる。
【産業上の利用可能性】
【００２８】
以上のように、本発明にかかる加熱調理器は、機器の最大定格消費電力値毎に、同時使用できる口数を変更できるので、多口あるいは複数の加熱ユニットを有する加熱調理器等の用途にも適用できる。
【図面の簡単な説明】
【００２９】
【図１】本発明の実施の形態１における加熱調理器のブロック図
【図２】本発明の実施の形態２、３における加熱調理器のブロック図
【符号の説明】
【００３０】
１  左誘導加熱ユニット
２  右誘導加熱ユニット
３  ロースタユニット
４  ラジェントユニット
５  左誘導加熱ユニット制御手段
６  右誘導加熱ユニット制御手段
７  ロースタ制御手段
８  ラジェント制御手段  
９  操作設定手段
１０  商用電源
１１  電源スイッチ
１２  記憶手段
１ａ  左誘導加熱コイル
１ｂ  左誘導加熱ユニットインバータ
２ａ  右誘導加熱コイル
２ｂ  右誘導加熱ユニットインバータ
３ａ  ロースタシーズヒータ
３ｂ  ロースタリレー
４ａ  ラジェントヒータ
４ｂ  ラジェントリレー
【図１】
2009026721.tif 000003
【図２】
2009026721.tif 000004